(57)【要約】  エレベーターのロープを短時間で交換することができるエレベーターのロープのマーキング治具を提供する。エレベーターのロープのマーキング治具は、エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した保持体、を備えた。
2019138547.tif 000002
【特許請求の範囲】
【請求項１】
エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した保持体、
を備えたエレベーターのロープのマーキング治具。
【請求項２】
前記保持体は、円筒状に形成された請求項１に記載のエレベーターのロープのマーキング治具。
【請求項３】
半円筒状に形成された挿入体と、
前記挿入体の内周の側に配置された弾性体と、
を備え、
前記保持体は、前記ロープが前記挿入体と前記弾性体に沿って配置されている状態において前記挿入体と前記弾性体と前記ロープとの挿入を受け入れる請求項２に記載のエレベーターのロープのマーキング治具。
【請求項４】
前記保持体は、前記ロープの複数の径にそれぞれ対応した複数の第１穴と複数の第２穴とを有した請求項３に記載のエレベーターのロープのマーキング治具。
【請求項５】
スリットを有し、前記保持体に対して回転し得るように前記保持体の外周面に嵌まり、前記スリットが前記ロープの特定の径に対応した第１穴と第２穴とを露出するに配置された際に前記ロープの他の径に対応した第１穴と第２穴とを遮蔽する遮蔽体、
を備えた請求項４に記載のエレベーターのロープのマーキング治具。
【請求項６】
前記保持体は、Ｖ字状の溝を有し、前記ロープが前記溝の底に向けて押し付けられている際に前記第１穴と前記第２穴とから前記ロープの外周面を露出させる請求項１に記載のエレベーターのロープのマーキング治具。
【請求項７】
前記保持体は、前記ロープの複数の径に合わせて、底の側から順々に広い幅となる複数の受け入れ部を有した請求項１に記載のエレベーターのロープのマーキング治具。
【請求項８】
開口部を開きながらエレベーターのロープを保持する保持体と、
前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とを有した遮蔽体と、
を備えたエレベーターのロープのマーキング治具。
【請求項９】
エレベーターのロープの径に応じて開口部が開く幅を変えながら前記ロープを保持する保持体と、
前記ロープの複数の径に応じて前記保持体の開口部が開いた際の幅にそれぞれ対応した幅を有し、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とをそれぞれ有した複数の遮蔽体と、
を備えたエレベーターのロープのマーキング治具。
【発明の詳細な説明】
【技術分野】
【０００１】
この発明は、エレベーターのロープのマーキング治具に関する。
【背景技術】
【０００２】
例えば、特許文献１は、エレベーターの案内治具を開示する。当該案内治具によれば、エレベーターのロープを簡単に接続し得る。
【先行技術文献】
【特許文献】
【０００３】
【特許文献１】日本特開２００４−１９７８４４号公報
【発明の概要】
【発明が解決しようとする課題】
【０００４】
しかしながら、特許文献１に記載の案内治具を使用するためには、ロープを適切な寸法で前処理する必要がある。このため、エレベーターのロープの短時間で交換することができない。【０００５】
この発明は、上述の課題を解決するためになされた。この発明の目的は、エレベーターのロープを短時間で交換することができるエレベーターのロープのマーキング治具を提供することである。
【課題を解決するための手段】
【０００６】
この発明に係るエレベーターのロープのマーキング治具は、エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した保持体、を備えた。【０００７】
この発明に係るエレベーターのロープのマーキング治具は、開口部を開きながらエレベーターのロープを保持する保持体と、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とを有した遮蔽体と、を備えた。【０００８】
この発明に係るエレベーターのロープのマーキング治具は、エレベーターのロープの径に応じて開口部が開く幅を変えながら前記ロープを保持する保持体と、前記ロープの複数の径に応じて前記本体の開口部が開いた際の幅にそれぞれ対応した幅を有し、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とをそれぞれ有した副複数の遮蔽体と、を備えた。
【発明の効果】
【０００９】
これらの発明によれば、保持体は、ロープを保持する。第１穴は、第１位置において主ロープの外周面を露出させる。第２穴は、第２位置において主ロープの外周面を露出させる。このため、エレベーターのロープを短時間で交換することができる。
【図面の簡単な説明】
【００１０】
【図１】実施の形態１におけるエレベーターのロープのマーキング治具が適用されるエレベーターの構成図である。
【図２】実施の形態１におけるエレベーターのロープのマーキング治具の利用方法を説明するための斜視図である。
【図３】実施の形態１におけるエレベーターのロープのマーキング治具が適用される既設の主ロープと新設の主ロープとの斜視図である。
【図４】実施の形態２におけるエレベーターのロープのマーキング治具と主ロープとの縦断面図である。
【図５】実施の形態３におけるエレベーターのロープのマーキング治具の要部の斜視図である。
【図６】実施の形態３におけるエレベーターのロープのマーキング治具の縦断面図である。
【図７】実施の形態４におけるエレベーターのロープのマーキング治具と主ロープとの縦断面図である。
【図８】実施の形態５におけるエレベーターのロープのマーキング治具と主ロープとの縦断面図である。
【図９】実施の形態６におけるエレベーターのロープのマーキング治具の斜視図である。
【図１０】実施の形態６におけるエレベーターのロープのマーキング治具の要部と主ロープとの縦断面図である。
【図１１】実施の形態６におけるエレベーターのロープのマーキング治具の遮蔽体の平面図である。
【発明を実施するための形態】
【００１１】
この発明を実施するための形態について添付の図面に従って説明する。なお、各図中、同一または相当する部分には同一の符号が付される。当該部分の重複説明は適宜に簡略化または省略する。
【００１２】
実施の形態１．
図１は実施の形態１におけるエレベーターのロープのマーキング治具が適用されるエレベーターの構成図である。
【００１３】
図１のエレベーターシステムは、機械室のないエレベーターシステムである。当該エレベーターシステムにおいて、昇降路１は、建築物の各階を貫く。図示されない複数の乗場の各々は、建築物の各階に設けられる。複数の乗場の各々は、昇降路１に対向する。
【００１４】
巻上機２は、昇降路１の上部に設けられる。綱車３は、巻上機２の回転軸に取り付けられる。主ロープ４は、綱車３に巻き掛けられる。
【００１５】
図示されない一対のかご側ガイドレールは、昇降路１に設けられる。図示されない一対のオモリ側ガイドレールは、昇降路１に設けられる。
【００１６】
かご５は、昇降路１の内部に設けられる。かご５は、一対のかご側ガイドレールに案内される。かご５は、主ロープ４の一側に支持される。釣合オモリ６は、昇降路１の内部に設けられる。釣合オモリ６は、一対のオモリ側ガイドレールに案内される。釣合オモリ６は、主ロープ４の他側に支持される。
【００１７】
主ロープ４の交換時において、作業員は、既設の主ロープ４と新設の主ロープ４に対して図１においては示されないマーキング治具を用いて前処理を行う。その後、作業員は、既設の主ロープ４の端部と図示されない新設の主ロープ４の端部とを接続する。この状態において、作業員は、既設の主ロープ４を取り外す。この際、新設の主ロープ４は、既設の主ロープ４の移動に追従して移動する。その結果、新設の主ロープ４は、所定の位置に配置される。
【００１８】
次に、図２を用いて、マーキング治具の利用方法を説明する。
図２は実施の形態１におけるエレベーターのロープのマーキング治具の利用方法を説明するための斜視図である。
【００１９】
図２に示されるように、マーキング治具は、保持体７を備える。
【００２０】
例えば、保持体７は、円筒状に形成される。保持体７は、主ロープ４を直線状にした状態で主ロープ４を保持する。
【００２１】
保持体７は、第１穴７ａを有する。第１穴７ａは、主ロープ４の端部からの距離が第１距離の位置において主ロープ４の外周面を露出させる。
【００２２】
保持体７は、第２穴７ｂを有する。第２穴７ｂは、主ロープ４の端部から第１距離よりも短い第２距離の位置において主ロープ４の外周面を露出させる。
【００２３】
作業員は、既設の主ロープ４に対して第１穴７ａを介してペン等を用いて第１マーキングを施す。作業員は、既設の主ロープ４に対して第２穴７ｂを介してペン等を用いて第２マーキングを施す。
【００２４】
作業員は、新設の主ロープ４に対して第１穴７ａを介してペン等を用いて第１マーキングを施す。作業員は、既設の主ロープ４に対して第２穴７ｂを介してペン等を用いて第２マーキングを施す。
【００２５】
次に、図３を用いて、既設の主ロープ４と新設の主ロープ４との接続方法を説明する。
図３は実施の形態１におけるエレベーターのロープのマーキング治具が適用される既設の主ロープと新設の主ロープとの斜視図である。
【００２６】
既設の主ロープ４において、ストランドの撚りは、第１マーキングの位置まで解かれる。芯鋼は、第２マーキングの位置で切断される。
【００２７】
新設の主ロープ４において、ストランドの撚りは、第１マーキングの位置まで解かれる。芯鋼は、第２マーキングの位置で切断される。
【００２８】
その後、既設の主ロープ４の芯鋼の端部と新設の主ロープ４の芯鋼の端部とが突き合わされる。その後、解かれたストランドは、既設の主ロープ４の芯鋼と新設の主ロープ４の芯鋼とに沿って撚り合わされる。
【００２９】
以上で説明した実施の形態１によれば、保持体７は、主ロープ４を保持する。第１穴７ａは、第１位置において主ロープ４の外周面を露出させる。第２穴７ｂは、第２位置において主ロープ４の外周面を露出させる。このため、既設の主ロープ４と新設の主ロープ４とにおいて適切な位置にマーキングを施すことができる。その結果、エレベーターの主ロープ４を短時間で交換することができる。
【００３０】
また、主ロープ４は、直線状に保持される。このため、既設の主ロープ４と新設の主ロープ４とにおいて適切な位置により確実にマーキングを施すことができる。特に、主ロープ４が湾曲している場合でも、適切な位置により確実にマーキングを施すことができる。
【００３１】
また、既設の主ロープ４の端部と新設の主ロープ４の端部とに触れる機会を減らすことができる。
【００３２】
実施の形態２．
図４は実施の形態２におけるエレベーターのロープのマーキング治具と主ロープとの縦断面図である。なお、実施の形態１の部分と同一又は相当部分には同一符号が付される。当該部分の説明は省略される。
【００３３】
図４に示されるように、マーキング治具は、挿入体８と弾性体９とを備える。
【００３４】
挿入体８は、円筒状に形成される。
【００３５】
弾性体９は、半円柱状に形成される。弾性体９は、挿入体８の内周の側に配置される。
【００３６】
保持体７は、主ロープ４が挿入体８と弾性体９に沿って配置されている状態において挿入体８と弾性体９と主ロープ４との挿入を受け入れる。この際、弾性体９は、主ロープ４を保持体７の内周面に押し付ける。
【００３７】
以上で説明した実施の形態２によれば、保持体７は、挿入体８と弾性体９と主ロープ４との挿入を受け入れる。この際、弾性体９は、主ロープ４を保持体７の内周面に押し付ける。このため、主ロープ４をより確実に保持することができる。
【００３８】
実施の形態３．
図５は実施の形態３におけるエレベーターのロープのマーキング治具の要部の斜視図である。なお、実施の形態１の部分と同一又は相当部分には同一符号が付される。当該部分の説明は省略される。
【００３９】
実施の形態３のマーキング治具は、主ロープ４の複数の径に対応する。
【００４０】
具体的には、保持体７は、複数の第１穴７ａと複数の第２穴７ｂとを有する。
【００４１】
複数の第１穴７ａは、主ロープ４の複数の径にそれぞれ対応する。複数の第１穴７ａは、保持体７の軸の方向から見た際に保持体７の外周面において異なる位置に形成される。
【００４２】
複数の第２穴７ｂは、主ロープ４の複数の径にそれぞれ対応する。複数の第２穴７ｂは、保持体７の軸の方向から見た際に保持体７の外周面において異なる位置に形成される。複数の第２穴７ｂは、複数の第１穴７ａのそれぞれと保持体７の軸の方向に沿って並んで形成される。
【００４３】
次に、図６を用いて、マーキング治具の詳細を説明する。
図６は実施の形態３におけるエレベーターのロープのマーキング治具の縦断面図である。
【００４４】
図６に示されるように、マーキング治具は、遮蔽体１０も備える。
【００４５】
遮蔽体１０は、スリット１０ａを有する。遮蔽体１０は、保持体７に対して回転し得るように保持体７の外周面に嵌まる。
【００４６】
詳細には図示されないが、スリット１０ａが主ロープ４の特定の径に対応した第１穴７ａと第２穴７ｂとを露出するように配置された際、遮蔽体１０は、主ロープ４の他の径に対応した第１穴７ａと第２穴７ｂとを遮蔽する。
【００４７】
以上で説明した実施の形態３によれば、特定の径に対応した第１穴７ａと第２穴７ｂとが露出する際、主ロープ４の他の径に対応した第１穴７ａと第２穴７ｂとは遮蔽される。このため、マーキングを誤って施すことを抑制できる。
【００４８】
なお、保持体７の一端部を塞いでもよい。この際、保持体７の一端部の外周面に確認穴を設けてもよい。この場合、保持体７の他端部の側から主ロープ４を挿入して確認穴から主ロープ４の端部を確認すれば、主ロープ４が適切な位置に配置されたことを確認できる。
【００４９】
また、主ロープ４の径に対応した第１穴７ａと第２穴７ｂと並ぶように、当該径を示す印をつけてもよい。例えば、主ロープ４の径に対応した第１穴７ａと第２穴７ｂと並ぶように、当該径に対応した数字を示してもよい。この場合、マーキングを誤って施すことをより確実に抑制できる。
【００５０】
実施の形態４．
図７は実施の形態４におけるエレベーターのロープのマーキング治具と主ロープ４との縦断面図である。なお、実施の形態３の部分と同一又は相当部分には同一符号が付される。当該部分の説明は省略される。
【００５１】
実施の形態４のマーキング治具において、保持体７は、Ｖ字状の溝を有する。
【００５２】
詳細には図示されないが、保持体７は、主ロープ４が溝の底に向けて押し付けられている際に第１穴７ａと第２穴７ｂとから主ロープ４の外周面を露出させる。
【００５３】
実施の形態４のマーキング治具は、押付体１１も備える。押付体１１は、板状に形成される。押付体１１の一側は、本体の一端部に対して回転自在に設けられる。押付体１１は、保持体７の溝の底に向けて主ロープ４を押し付ける。
【００５４】
以上で説明した実施の形態４によれば、主ロープ４は、本体のＶ溝の底に向けて押し付けられる。この際、主ロープ４の外周面は、第１位置と第２位置とにおいて露出する。このため、既設の主ロープ４と新設の主ロープ４とにおいて適切な位置にマーキングを施すことができる。
【００５５】
実施の形態５．
図８は実施の形態５におけるエレベーターのロープのマーキング治具と主ロープとの縦断面図である。なお、実施の形態４の部分と同一又は相当部分には同一符号が付される。当該部分の説明は省略される。
【００５６】
実施の形態５のマーキング治具において、保持体７は、複数の受け入れ部１２を有する。複数の受け入れ部１２は、主ロープ４の複数の径に合わせて、底の側から順々に広い幅となるように設けられる。
【００５７】
以上で説明した実施の形態５によれば、複数の受け入れ部１２は、主ロープ４の複数の径に合わせて、底の側から順々に広い幅となるように設けられる。このため、主ロープ４の径に応じて主ロープ４を適切な位置で保持することができる。
【００５８】
実施の形態６．
図９は実施の形態６におけるエレベーターのロープのマーキング治具の斜視図である。なお、実施の形態１の部分と同一又は相当部分には同一符号が付される。当該部分の説明は省略される。
【００５９】
実施の形態６のマーキング治具は、基体１３と複数の保持体１４と遮蔽体１５とを備える。
【００６０】
基体１３は、板状に形成される。
【００６１】
複数の保持体１４は、基体１３の上面に設けられる。複数の保持体１４は、基体１３の長手方向に並ぶ。複数の保持体１４の各々は、上方に開口する開口部を有する。複数の保持体１４の各々は、開口部を開きながら図１０においては図示されない主ロープ４を保持する。
【００６２】
遮蔽体１５は、板状に形成される。遮蔽体１５は、保持体１４の開口部を遮蔽する。
【００６３】
遮蔽体１５は、第１穴１５ａを有する。第１穴１５ａは、主ロープ４の端部からの距離が第１距離の位置においてロープの外周面を露出させる。
【００６４】
遮蔽体１５は、第２穴１５ｂを有する。第２穴１５ｂは、主ロープ４の端部から第１距離よりも短い第２距離の位置においてロープの外周面を露出させる。
【００６５】
次に、図１０を用いて、主ロープ４の保持方法を説明する。
図１０は実施の形態６におけるエレベーターのロープのマーキング治具の要部と主ロープとの縦断面図である。
【００６６】
図１０に示されるように、保持体１４は、主ロープ４の径に応じて開口部が開く幅を変えながら主ロープ４を保持する。
【００６７】
次に、図１１を用いて、遮蔽体１５を説明する。
図１１は実施の形態６におけるエレベーターのロープのマーキング治具の遮蔽体の平面図である。
【００６８】
複数の遮蔽体１５は、主ロープ４の複数の径に応じて保持体１４の開口部が開いた際の幅にそれぞれ対応した幅を有する。複数の遮蔽体１５は、主ロープ４の複数の径にそれぞれ対応した第１穴１５ａと第２穴１５ｂとを有する。
【００６９】
以上で説明した実施の形態６によれば、複数の遮蔽体１５は、主ロープ４の複数の径に応じて保持体１４の開口部が開いた際の幅にそれぞれ対応した幅を有する。複数の遮蔽体１５は、主ロープ４の複数の径にそれぞれ対応した第１穴１５ａと第２穴１５ｂとを有する。このため、マーキングを誤って施すことを抑制できる。
【００７０】
なお、主ロープ以外のロープに実施の形態１から実施の形態６のマーキング治具を利用してもよい。例えば、エレベーターの調速機に巻き掛けられた調速ロープに実施の形態１から実施の形態６のマーキング治具を利用してもよい。この場合も、このため、既設のロープと新設のロープとにおいて適切な位置にマーキングを施すことができる。その結果、エレベーターのロープを短時間で交換することができる。
【産業上の利用可能性】
【００７１】
以上のように、この発明に係るエレベーターのロープのマーキング治具は、エレベーターのロープを交換する際に利用できる。
【符号の説明】
【００７２】
１  昇降路、  ２  巻上機、  ３  綱車、  ４  主ロープ、  ５  かご、  ６  釣合オモリ、  ７  保持体、  ７ａ  第１穴、  ７ｂ  第２穴、  ８  挿入体、  ９  弾性体、  １０  遮蔽体、  １０ａ  スリット、  １１  押付体、  １２  受け入れ部、  １３  基体、  １４  保持体、  １５ａ  第１穴、  １５ｂ  第２穴、  １５  遮蔽体
【図１】
2019138547.tif 000003
【図２】
2019138547.tif 000004
【図３】
2019138547.tif 000005
【図４】
2019138547.tif 000006
【図５】
2019138547.tif 000007
【図６】
2019138547.tif 000008
【図７】
2019138547.tif 000009
【図８】
2019138547.tif 000010
【図９】
2019138547.tif 000011
【図１０】
2019138547.tif 000012
【図１１】
2019138547.tif 000013
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
エレベーターのロープ交換時に既設ロープと新設ロープとの接続作業に用いられるエレベーターのマーキング治具であって、
エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した円筒状の保持体、
を備えたエレベーターのロープのマーキング治具。
【請求項２】
半円筒状に形成された挿入体と、
前記挿入体の内周の側に配置された弾性体と、
を備え、
前記保持体は、前記ロープが前記挿入体と前記弾性体に沿って配置されている状態において前記挿入体と前記弾性体と前記ロープとの挿入を受け入れる請求項１に記載のエレベーターのロープのマーキング治具。
【請求項３】
前記保持体は、前記ロープの複数の径にそれぞれ対応した複数の第１穴と複数の第２穴とを有した請求項２に記載のエレベーターのロープのマーキング治具。
【請求項４】
スリットを有し、前記保持体に対して回転し得るように前記保持体の外周面に嵌まり、前記スリットが前記ロープの特定の径に対応した第１穴と第２穴とを露出するに配置された際に前記ロープの他の径に対応した第１穴と第２穴とを遮蔽する遮蔽体、
を備えた請求項３に記載のエレベーターのロープのマーキング治具。
【請求項５】
エレベーターのロープ交換時に既設ロープと新設ロープとの接続作業に用いられるエレベーターのマーキング治具であって、
エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した保持体、
を備え、
前記保持体は、前記ロープの複数の径に合わせて、底の側から順々に広い幅となる複数の受け入れ部を有したエレベーターのロープのマーキング治具。
【請求項６】
エレベーターのロープ交換時に既設ロープと新設ロープとの接続作業に用いられるエレベーターのマーキング治具であって、
開口部を開きながらエレベーターのロープを保持する保持体と、
前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とを有した遮蔽体と、
を備えたエレベーターのロープのマーキング治具。
【請求項７】
エレベーターのロープ交換時に既設ロープと新設ロープとの接続作業に用いられるエレベーターのマーキング治具であって、
エレベーターのロープの径に応じて開口部が開く幅を変えながら前記ロープを保持する保持体と、
前記ロープの複数の径に応じて前記保持体の開口部が開いた際の幅にそれぞれ対応した幅を有し、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とをそれぞれ有した複数の遮蔽体と、
を備えたエレベーターのロープのマーキング治具。
【手続補正２】
【補正対象書類名】明細書
【補正対象項目名】０００６
【補正方法】変更
【補正の内容】
【０００６】
この発明に係るエレベーターのロープのマーキング治具は、エレベーターのロープ交換時に既設ロープと新設ロープとの接続作業に用いられるエレベーターのマーキング治具であって、エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した円筒状の保持体、を備えた。
この発明に係るエレベーターのロープのマーキング治具は、エレベーターのロープ交換時に既設ロープと新設ロープとの接続作業に用いられるエレベーターのマーキング治具であって、エレベーターのロープを保持し、前記ロープの端部からの距離が第１距離の位置において前記ロープの外周面を露出させる第１穴と前記ロープの端部から前記第１距離よりも短い第２距離の位置において前記ロープの外周面を露出させる第２穴とを有した保持体、を備え、前記保持体は、前記ロープの複数の径に合わせて、底の側から順々に広い幅となる複数の受け入れ部を有した。
【手続補正３】
【補正対象書類名】明細書
【補正対象項目名】０００７
【補正方法】変更
【補正の内容】
【０００７】
この発明に係るエレベーターのロープのマーキング治具は、エレベーターのロープ交換時に既設ロープと新設ロープとの接続作業に用いられるエレベーターのマーキング治具であって、開口部を開きながらエレベーターのロープを保持する保持体と、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とを有した遮蔽体と、を備えた。
【手続補正４】
【補正対象書類名】明細書
【補正対象項目名】０００８
【補正方法】変更
【補正の内容】
【０００８】
この発明に係るエレベーターのロープのマーキング治具は、エレベーターのロープ交換時に既設ロープと新設ロープとの接続作業に用いられるエレベーターのマーキング治具であって、エレベーターのロープの径に応じて開口部が開く幅を変えながら前記ロープを保持する保持体と、前記ロープの複数の径に応じて前記保持体の開口部が開いた際の幅にそれぞれ対応した幅を有し、前記保持体の開口部を遮蔽し、前記ロープの端部からの距離が第１距離の位置において前記ロープの外周面を露出させる第１穴と前記保持体の端部から前記第１距離よりも短い第２距離の位置において前記ロープの外周面を露出させる第２穴とをそれぞれ有した副複数の遮蔽体と、を備えた。
【国際調査報告】
2019138547.tif 000014
2019138547.tif 000015
2019138547.tif 000016
2019138547.tif 000017